(57)【特許請求の範囲】
【請求項１】
二本の柱の夫々に、上記柱を支持するよう同柱に支柱を取付けて支持構造体を構成し、上記支柱間に押圧板を固定し、上記押圧板の下方に上記押圧板との間隔がモップの厚さよりも小さい間隔を有するように受板を上記柱間に回動自在に懸架してなり、上記押圧板と受板の間にモップを置いてモップ柄を押し下げると上記受板が回動して上記押圧板と受板の間でモップから水分を絞り出すように構成されていることを特徴とするモップ絞り器。
【請求項２】
上記支柱を、停止位置がほゞ零及び鋭角になるよう上記柱に回動自在に取付けたことを特徴とするモップ絞り器。
【請求項３】
上記柱間の下部を固定する柱下部固定材と上記支柱間の下部を固定する支柱下部固定材とをヒンジ機構で連結することを特徴とする請求項２記載のモップ絞り器。
【請求項４】
上記支柱のそれぞれに上記押圧板に代えて押圧板片を固定したことを特徴とする請求項１〜３のいずれか１つに記載のモップ絞り器。
【発明の詳細な説明】
【０００１】
【発明の属する技術分野】
本発明は床などの拭き掃除に使用するモップを水で洗浄したときに、モップの水を絞り取るモップ絞り器、特に病院における洗浄に使用して好適なモップ絞り器に関するものである。
【０００２】
【従来の技術】
病院における床などの拭き掃除では、院内感染の予防のため、粉塵を巻き上げないで、埃と汚れを除去することが要求されるとともに、従来の清掃用モップよりも確実に埃と汚れが除去されることが必要である。
そこで、発明者は、上記目的に適応した粉塵回収率が高く、しかも清掃後の付着菌数の極めて少ない再生セルローススポンジを使用したモップ（以下、スイングモップと言う。）を用いている。
図１０及び図１１は、スイングモップａを図示したものであり、図１０はスイングモップａの斜視図、図１１はその部分拡大側面図である。ｂはハンドル、ｃはスライドグリップハンドル、ｄはサムスロット、ｅはリンケージ嵌合スロット、ｆはモップハンドル、ｇは金属リンクロッド、ｈは金属絞りワイヤー、ｉは絞りアーム、ｊはハンドルソケット、ｋはシュラウドボディー部分、ｌは金属パドル、ｍはスポンジモップパッドである。
【０００３】
操作においては、清掃時、モップａは図１０に示されるモッピング位置にあり、金属パドルｌは図１１の破線に示すように通常水平位置にあって、適正な水を含んだスポンジモップパッドｍで床を清掃する。ついで、水槽の水でスポンジモップｍを洗浄したのち、スポンジモップｍから水を除去する場合には、手動でスライドグリップハンドルｃをモップハンドルｂに沿って下げる。これによって金属リンクロットｇが下方に移動する。ついで金属リンクロットｇに回転自在に連結された金属絞りワイヤーｈ、ｈ及び絞りアームｉ、ｉが回動し、図示省略のスプリングの抵抗に抗して図１１中矢印に示すように金属パドルｌ、スポンジモップパッドｍは水平方向から垂直方向に回動し、スポンジモップパッドｍ、ｍが折り畳まれ水が絞り出される。
このスイングモップａでは、スポンジモップパッドｍを中央から二つ折りに曲げる方式なので、大きな腕力が必要であり、病院の清掃を主に担当している女性の腕力では足りない場合があり、軽い方式で水絞りができるものが要求されていた。
また、最近では、金属リンクロットｇがなく手動で直接金属絞りワイヤーｈ、ｈを下方に回転させて絞りアームｉ、ｉを回動させてスポンジモップパッドｍ、ｍを折り畳む方式に簡素化されているが、これでも水絞りでの腕力が必要となりその軽減化が要求されていた。
また、このスイングモップａでは、折り曲げを繰り返すことによってスポンジモップパッドｍの劣化が激しくその対策が望まれていた。
更に、このスイングモップａでは、折り曲げた際に、相対するスポンジモップパッドｍ、ｍに加わる圧力が長手方向の位置によって異なるため、絞り出された後のスポンジモップパッドｍ、ｍに含まれる水分が均一でなく、床掃除の場合に掃除ムラが生じることがあって、床掃除時のスポンジモップパッドｍ、ｍの水分が均一になる方策が要求されていた。
【０００４】
そこで、発明者は、上記問題を解決するため、スポンジモップパッドを取り付けたモップ及び上記スポンジモップパッドに含まれる清掃水を絞るモップ絞り器において、上記モップ及びモップ絞り器のうち一方に設けられた挿入体と、他の一方に設けられた上記挿入体の嵌合部材と、上記嵌合部材又は上記挿入体の下方で上記モップ絞り器に配設された受材と、上記挿入体又は上記嵌合部材と上記受材との間隔を変えることができる回動自在な可動機構と、からなるモップ及びモップ絞り器等を発明して特願２０００−４０４４３８号及び特願２００１−５９２４５号で特許出願した。
【０００５】
図１２及至図１６は特願２００１−５９２４５号で特許出願したものの第一実施例に係るものを図示したもので、図１２は斜視図、図１３は側断面である。また、図１４はスポンジ付きモップの正面図、図１５はその側面図、図１６はその作用説明図である。
図１２及至図１６において、３１は図示省略の清掃用水を貯留する箱形の水槽で、同水槽３１の上部は開口している。３２は水槽３１の前板、３３は水槽３１の側板、３４は水槽３１の後板、３５は側板３３，３３間に架設された円柱。なお、この円柱３５は固定でも回転自在でも良い。３６は円柱３５に載上されている受板、３７は受板３６の上方に適宜な間隔で側板３３，３３間に架設された押し板である。３８は押し板３７の両端に設けられ側板３３に回転自在な軸である。３９は押し板３７の前方に設けられた凹部である。４０は押し板３７の上面に固定された補強板、４１は受板３６と押し板３７とを固定する支柱、４２ａ，４２ｂは支柱４１の長さを調整する上部ナット、下部ナットである。そして、受板３６上面と押し板３７下面との間の支柱４１，４１の長さは、図１４及び図１５に示すスポンジ付きモップ４３のスポンジモップパッド４４とスポンジモップパッド４４を固定保持する金属板４５との厚さよりも小さい長さになるように上部ナット４２ａ又は下部ナット４２ｂで調整する。すなわち受板３６上面と押し板３７下面との最小間隔は、スポンジモップパッド４４が厚さ方向に適宜な厚さまで圧縮される程度の間隔である。なお、図１４および図１５において、４７は金属板４５とモップ柄４６とを固定する固定枠である。
【０００６】
このように構成された実施例において、まず、受板３６と押し板３７との間の支柱４１の長さが、図１４及び図１５に示すスポンジモップパッド４４と金属板４５との厚さよりもやや小さい間隔になるように上部・下部ナット４２ａ、４２ｂの回転によってあらかじめ調整しておく。そして、スポンジ付きモップ４３のスポンジモップパッド４４を水槽３１内の図示省略の清掃水中に潜水させ、スポンジモップパッド４４に付着した汚れを洗浄する。ついで、図１６に示すように受板３６と押し板３７との間にスポンジ付きモップ４３のスポンジモップパッド４４と金属板４５とを挿入する。ついでモップ柄４６を図１６中Ａ方向に回動させると金属板４５の前端部と押し板３７の前端部との接触面を支点線Ｐとして押し板３７が図中Ａ方向に回動し、スポンジモップパッド４４は受板３６と押し板３７との間で狭圧され、清掃に好適な所望の含水量に絞られる。そして、絞り出された水は、受板３６にあけられた図示省略の複数の穴及び側面から下方に落ち水槽３１内に溜まる。
ついで、モップ柄４６を図１６中Ｂ方向に回動させ、スポンジモップパッド４４及び金属板４５を受板３６と押し板３７との間から抜き取り、次の清掃作業に取りかかる。
【０００７】
【発明が解決しようとする課題】
この従来方式では、汚れた水を含んでいるスポンジ付きモップ４３のスポンジモップパッド４４及び金属板４５を受板３６と押し板３７との間に挿入し、モップ柄４６を図１６中Ａ方向に回動させてスポンジモップパッド４４に含まれていた汚水を絞り出す方式であるので、スポンジモップパッド４４に含まれた汚水を絞り出す力が直接受板３６と押し板３７にかかり、したがって受板３６、押し板３７及びその剛性を確保する水槽３１が充分に剛性を有する設計が必要である。すなわち、水槽３１が充分に剛性を有する構造にするため材料代が高くなるとともに水槽自体が重たいものになっていた。
【０００８】
【課題を解決するための手段】
本発明の第一発明は、二本の柱の夫々に、上記柱を支持するよう同柱に支柱を取付けて支持構造体を構成し、上記支柱間に押圧板を固定し、上記押圧板の下方に上記押圧板との間隔がモップの厚さよりも小さい間隔を有するように受板を上記柱間に回動自在に懸架してなり、上記押圧板と受板の間にモップを置いてモップ柄を押し下げると上記受板が回動して上記押圧板と受板の間でモップから水分を絞り出すように構成されているモップ絞り器である。
【０００９】
次に、本発明の第二発明は、上記第一発明によるモップ絞り器において、上記支柱を、停止位置がほゞ零及び鋭角になるよう上記柱に回動自在に取付けたモップ絞り器である。
【００１０】
更に、本発明の第三発明は、本発明の第二発明において、上記柱間の下部を固定する柱下部固定材と上記支柱間の下部を固定する支柱下部固定材とをヒンジ機構で連結するモップ絞り器である。
【００１１】
次に、本発明の第四発明は、上記第一〜第三発明のいずれかにおける支柱のそれぞれに上記押圧板に代えて押圧板片を固定したモップ絞り器である。
【００１４】
【実施例】
本発明の第一発明の実施例を、図１及至図３に図示する実施例１で説明する。図１は実施例１のモップ絞り器の斜視図、図２はその側面図、図３は作用説明図である。
図１及至図３において、１はモップ絞り器で、２，２は床面３に対して斜めにかつほゞ並列に設けられた柱、４は柱２，２の上端部を連結している上部パイプ、５は柱２，２の下端部を連結する下部パイプ、６、６は柱２，２の中間部に鋭角に固定された支柱、７は支柱６，６の下端部を連結する下部パイプ、８は支柱６，６に懸架して固定された押圧板、９は柱２，２にピン１０，１０で回動自在に取り付けられた受板で、押圧板８と受板９との間隔は、図１４及び図１５で示すスポンジモップの厚さよりも小さくなるように設けられている。図３における１１はスポンジモップで、同スポンジモップ１１は金属板１２，スポンジモップパッド１３，柄１４から構成されている。１５は水槽である。
【００１５】
このように構成された実施例１において、図３に図示するように、スポンジモップ１１の金属板１２，スポンジモップパッド１３を受板９上に挿入する。ついで、柄１４を図中Ａ方向に回転させると受板９も回動し、押圧板８と受板９との間でスポンジモップパッド１３に含まれた水分を搾り出しスポンジモップパッド１３を適宜な水分含有量にする。その時点で、柄１４を図中Ｂ方向に回転させて、押圧板Ｂと受板９との間から金属板１２とスポンジモップパッド１３とを取り出し、清掃作業を行う。
【００１６】
この場合、スポンジモップパッド１３に含まれる清掃水を絞り出すためには、図３中矢印Ａ方向に示す柄１４にかける力はかなり強い力を加える必要がある。
その際、従来例に示す場合には、柄１４に加える強い力に対抗するには水槽を強い強度を持つ設計にしなければならなかったが、本実施例では、柄１４にかける強い力は、金属板１２から押圧板８を介して支柱６に、また受板９を介して柱２に伝達されてモップ絞り器１全体に伝えられるで、柄１４に加える強い力に対抗するために水槽１５の強度を強くする必要はない。
【００１７】
次に本発明の第二発明の実施例を図４及び図５に図示する実施例２で説明する。
図４及び図５は、実施例２の側面図である。
図４及び図５において、符号１ａ及至３ａ、６ａ、８ａ及至１０ａのものは、図１及至図３における符号１及至３，６，８及至１０のものと均等物なので説明を省略する。
そして、図４及び図５において、１６ａは、柱２ａと支柱６ａとを回転自在に軸支する軸、１７ａは支柱２ａと支柱６ａとを鋭角に停止するストッパーである。
【００１８】
このように構成された実施例２において、作業中には図４に図示するように柱２ａと柱６ａとの鋭角に保たせて使用する。作業が終了した場合等は、図５に図示するように支柱６ａを柱２ａに密着させて運搬又は収納する。
【００１９】
更に、本発明の第三発明の実施例を、図６及至図８に図示する実施例３で説明する。
図６は実施例３の側面図、図７は正面図、図８は側面図である。
図６及至図８において符号１ｂ及至３ｂ、６ｂ、９ｂ及び１０ｂ、１５ｂのものは、図１及至図３における符号１及至３，６，９及び１０，１５のものと均等物なので説明を省略する。
図６及至図８において、１８ｂは柱２ｂと支柱６ｂとの回動冶具で、１９ｂは回転軸、２０ｂは柱２ｂの下端部と支柱６ｂの下端部とを連結する底面で、柱側底板２１ｂ、支柱側底板２２ｂ、柱２ｂと柱側底板２１ｂとを回転自在に連結する回転軸２３ｂ、支柱６ｂと支柱側底板２２ｂとを回転自在に連結する回転軸２４ｂ及び柱側底板２１ｂと支柱側底板２２ｂとを回転自在に連結する回転軸２５ｂによって、ヒンジ機構に構成されている。２６ｂ、２７ｂは底板２０ｂに設けられたキャスターである。
【００２０】
この様に構成された実施例３において、作業中には図６に図示するように柱２ｂと支柱６ｂとを鋭角に保たせて使用する。
所定の場所の清掃が済んだ場合には、キャスター２６ｂ、２７ｂを利用して次の清掃場所へ移動する。作業が終了した場所は、図８に図示するように支柱６ｂを支柱２ｂに密着させて運搬又は収納する。
【００２１】
更にまた、本発明の第四発明の実施例を実施例４で説明する。
図９は実施例４の正面図である。図９において、符号１ｃ及至３ｃ、６ｃ、９ｃ及び１０ｃ、１５ｃ、１９ｃ、２６ｃのものは、図８における符号１ｂ及至３ｂ、６ｂ、９ｂ及び１０ｂ、１５ｂ、１９ｂ、２６ｂのものと均等物なので説明を省略する。
そして、図９において、２８ｃ、２８ｃは支柱６ｃ、６ｃに取り付けられた押圧板片である。
【００２２】
このように構成された実施例４において、広幅のスポンジモップパッドを使用する場合には、スポンジモップパッドを保持する広幅の金属板両端部を押圧板片２８ｃ、２８ｃに掛け、受板９ｃとの間でスポンジモップパッドを圧搾して所定の含水量になるまで絞る。
【００２３】
【発明の効果】
以上、本発明の実施例で述べたように、本発明によって次の効果が得られる。
（１）  構造が従来に比べて簡単なので、スポンジモップの絞り器が安価に出来る。
（２）  移動時には、ヒンジ機構を利用して柱と支柱とが密着した状態になるので、モップ絞り器の運搬又は収納が簡単である。
（３）  従来、水槽は、モップに含まれる清掃水を絞り出すために必要な圧搾力に耐えられる強度を有する必要があったが、本発明では水槽の強度はその必要がない。
（４）  したがって、水槽の軽量化が出来る。
（５）  スポンジモップパッドの挟圧する機構がきわめて簡単なので、製作が容易に出来、かつスポンジモップパッドの絞り作業が容易になる。
（６）  構造がシンプルなので、清掃業者のみならず家庭のフローリングに適応した大型化・小型化が可能であり、幅広く使用することが出来る。
（７）  スポンジモップパッドを中央から折り曲げて圧搾して、含まれている水分を絞り出す方式でないので、スポンジモップパッドの劣化を防止できる。
【００２４】
（８）  スポンジモップパッド全面に均一に加わる圧搾力で、含まれている水分を絞り出すので、スポンジモップパッド全面の含水率が均一になり清掃後の清掃ムラが生じない。
（９）  従来、病院等での清掃には、箒掃き、ダストモップ掛け、水拭きの三工程で行っていたのが、スポンジモップ拭きの一工程で済むので、清掃に要する人件費が大幅にコストダウンできる。
（１０）  特に病院内での清掃では、均一な水を有するスポンジモップパッドで清掃するので清掃後の乾燥も短時間ですみ院内感染予防に効果的である。
（１１）  水槽内でスポンジモップパッドを絞るので、圧搾力で絞り出された水が飛散することがなく衛生的である。
【図面の簡単な説明】
【図１】  本発明の実施例１のモップ絞り器の斜視図である。
【図２】  本発明の実施例１のモップ絞り器の側面図である。
【図３】  本発明の実施例１のモップ絞り器の作用説明図である。
【図４】  本発明の実施例２のモップ絞り器の側面図である。
【図５】  本発明の実施例２のモップ絞り器の側面図である。
【図６】  本発明の実施例３のモップ絞り器の側面図である。
【図７】  本発明の実施例３のモップ絞り器の正面図である。
【図８】  本発明の実施例３のモップ絞り器の側面図である。
【図９】  本発明の実施例４のモップ絞り器の正面図である。
【図１０】  従来のスポンジ付モップの斜視図である。
【図１１】  従来のスポンジ付きモップの絞られた位置にある状態を示す部分拡大斜視図である。
【図１２】  従来のモップ絞り器の斜視図である。
【図１３】  従来のモップ絞り器の側断面図である。
【図１４】  スポンジ付きモップの正面図である。
【図１５】  スポンジ付きモップの側面図である。
【図１６】  スポンジ付きモップの絞り状態を示す従来のモップ絞り器の作用説明図である。
【符号の説明】
１・・・モップ絞り器
２・・・柱
３・・・床面
４・・・上部パイプ
５・・・下部パイプ
６・・・支柱
７・・・下部パイプ
８・・・押圧板
９・・・受板
１０・・・ピン
１１・・・スポンジモップ
１２・・・金属板
１３・・・スポンジモップパッド
１４・・・柄
１５・・・水槽
１６ａ・・・回転軸
１７ａ・・・ストッパー
１８ｂ・・・回動冶具
１９ｂ・・・回転軸
２０ｂ・・・底面
２１ｂ・・・柱側底板
２２ｂ・・・支柱側底板
２３ｂ・・・回転軸
２４ｂ・・・回転軸
２５ｂ・・・回転軸
２６ｂ・・・キャスター
２７ｂ・・・キャスター
２８ｃ・・・押圧板片
【図１】
0004043777.tif 000002
【図２】
0004043777.tif 000003
【図３】
0004043777.tif 000004
【図４】
0004043777.tif 000005
【図５】
0004043777.tif 000006
【図６】
0004043777.tif 000007
【図７】
0004043777.tif 000008
【図８】
0004043777.tif 000009
【図９】
0004043777.tif 000010
【図１０】
0004043777.tif 000011
【図１１】
0004043777.tif 000012
【図１２】
0004043777.tif 000013
【図１３】
0004043777.tif 000014
【図１４】
0004043777.tif 000015
【図１５】
0004043777.tif 000016
【図１６】
0004043777.tif 000017